【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
記録媒体を搬送方向に搬送する搬送機構と、
記録媒体に黒色のインクを吐出するための第１吐出口が形成された第１吐出面を有する第１吐出ヘッドと、
前記搬送方向に関して前記第１吐出ヘッドよりも上流に配置され、インクに作用してインク中の成分を凝集又は析出させる液体を吐出するための第２吐出口が形成された第２吐出面を有する第２吐出ヘッドと、
前記搬送方向に関して前記第２吐出ヘッドよりも下流に配置され、記録媒体に黒色以外の互いに異なるカラー色のインクを吐出するための第３吐出口が形成された第３吐出面をそれぞれ有し、前記搬送方向に関して前記第１吐出ヘッドよりも上流に配置された少なくとも１つの特定第３吐出ヘッドを含む複数の第３吐出ヘッドと、
前記特定第３吐出ヘッドから記録媒体にインクを吐出する印字位置と、前記特定第３吐出ヘッドと前記搬送機構との離隔距離が前記印字位置における離隔距離よりも大きい退避位置との間において前記特定第３吐出ヘッドを移動させる移動機構と、
記録媒体に記録されるべき画像にかかる画像データを各前記第１〜第３吐出ヘッドからのインク及び液体の吐出データとして記憶する画像データ記憶手段と、
前記第１〜第３吐出ヘッド、及び、前記移動機構を制御する制御手段とを備えており、
前記制御手段は、
記録媒体に前記第１吐出ヘッド及び前記複数の第３吐出ヘッドからのインク及び前記第２吐出ヘッドからの液体が吐出されて画像ドットが形成されるように、前記画像データ記憶手段に記憶された前記吐出データに基づいて、各前記第１〜第３吐出ヘッドを制御する吐出ヘッド制御手段と、
前記移動機構を制御する移動制御手段と、
前記第１吐出ヘッド及び前記複数の第３吐出ヘッドから記録媒体にインクを吐出するカラー印字を行うカラー印字モード、及び、前記第１吐出ヘッドだけからインクを吐出するモノクロ印字を行うモノクロ印字モードのいずれを行うかを判定する印字モード判定手段と、
前記第２吐出ヘッドから記録媒体に液体を吐出して前処理を行う前処理モード、及び、前記第２吐出ヘッドから記録媒体に液体を吐出せず前処理を行わない非前処理モードのいずれを行うかを判定する前処理モード判定手段とを含んでおり、
前記吐出ヘッド制御手段は、前記印字モード判定手段が前記カラー印字モードを行うと判定したときに記録媒体にインクを吐出するように前記第１吐出ヘッド及び前記複数の第３吐出ヘッドを制御し、前記印字モード判定手段が前記モノクロ印字モードを行うと判定したときに記録媒体にインクを吐出するように前記第１吐出ヘッドを制御し、且つ、前記前処理モード判定手段が前記前処理モードを行うと判定したときに記録媒体に液体を吐出するように前記第２吐出ヘッドを制御し、前記前処理モード判定手段が前記非前処理モードを行うと判定したときに記録媒体に液体が吐出されないように前記第２吐出ヘッドを制御し、
前記移動制御手段は、
前記前処理モード判定手段が前記前処理モードを行うと判定し、前記印字モード判定手段が前記モノクロ印字モードを行うと判定した際に、前記特定第３吐出ヘッドを前記印字位置から前記退避位置に移動させるように前記移動機構を制御し、
前記前処理モード判定手段が前記前処理モードを行わないと判定し、前記印字モード判定手段が前記モノクロ印字モードを行うと判定した際に、前記特定第３吐出ヘッドを前記印字位置から前記退避位置に移動させないように前記移動機構を制御することを特徴とする液体吐出装置。
【請求項２】
前記特定第３吐出ヘッドが、前記搬送方向に関して前記第２吐出ヘッドに隣接する位置に配置されており、
前記特定第３吐出ヘッドからは、前記カラー色のインクのうち最も明度の低いインクが吐出されることを特徴とする請求項１に記載の液体吐出装置。
【請求項３】
前記特定第３吐出ヘッドが、前記搬送方向に関して前記第２吐出ヘッドに隣接する位置に配置されており、
前記特定第３吐出ヘッドからは、前記カラー色のインクのうち最も明度の高いインクが吐出されることを特徴とする請求項１に記載の液体吐出装置。
【請求項４】
前記特定第３吐出ヘッドの前記第３吐出面を覆う少なくとも１つのキャップを有するキャップ機構をさらに備えており、
前記移動制御手段は、前記前処理モードを行い且つ前記モノクロ印字を行う際に、前記特定第３吐出ヘッドを前記印字位置から前記退避位置に移動させた後、前記特定第３吐出ヘッドの前記第３吐出面を前記キャップで覆うように、前記移動機構及び前記キャップ機構を制御することを特徴とする請求項１〜３のいずれか１項に記載の液体吐出装置。
【請求項５】
前記キャップ機構は、前記第１及び第２吐出面並びに前記特定第３吐出ヘッド以外の前記第３吐出面をそれぞれ覆う複数のキャップをさらに有しており、
前記移動機構は、前記第１及び第２吐出ヘッド並びに前記特定第３吐出ヘッド以外の前記第３吐出ヘッドから記録媒体にインク及び液体を吐出する印字位置と、前記第１及び前記第２吐出ヘッド並びに前記特定第３吐出ヘッド以外の前記第３吐出ヘッドと前記搬送機構との離隔距離が前記印字位置におけるよりも大きい退避位置との間において前記第１及び第２吐出ヘッド並びに前記特定第３吐出ヘッド以外の前記第３吐出ヘッドを移動可能に構成され、
前記移動制御手段は、記録媒体に対する印字が終了した後に、前記第１〜第３吐出ヘッドを前記印字位置から前記退避位置に移動させた後、前記第１〜第３吐出面を前記複数のキャップで覆うように、前記移動機構及び前記キャップ機構を制御することを特徴とする請求項４に記載の液体吐出装置。
【請求項６】
前記特定第３吐出ヘッドが１つの前記第３吐出ヘッドであることを特徴とする請求項１〜５のいずれか１項に記載の液体吐出装置。
【請求項７】
前記特定第３吐出ヘッドが全ての前記第３吐出ヘッドであることを特徴とする請求項１〜４のいずれか１項に記載の液体吐出装置。
【請求項８】
前記制御手段は、前記前処理モード判定手段が前記前処理モードを行うと判定し、前記印字モード判定手段が前記カラー印字モードを行うと判定した際に、前記第１吐出ヘッドから吐出された単色のインクの液滴だけで構成される画像ドットに対する前記複数の第３吐出ヘッドから吐出されたインクの液滴が記録媒体上において重なることで構成されるコンポジットブラックによる画像ドットの形成比率が、前記前処理モード判定手段が前記非前処理モードを行うと判定したときよりも多くなるように、前記画像データ記憶手段に記憶された前記吐出データを変更する変更手段をさらに含んでいることを特徴とする請求項１〜７のいずれか１項に記載の液体吐出装置。
【請求項９】
前記制御手段は、前記第１及び第３吐出口のそれぞれからインクを吐出させる吐出フラッシングが、前記搬送機構によって搬送されてきた記録媒体と前記第１及び第３吐出口とが対向しているときに行われるように、前記第１吐出ヘッド及び前記複数の第３吐出ヘッドを制御するフラッシング制御手段をさらに含んでおり、
前記フラッシング制御手段は、前記印字モード判定手段が前記カラー印字モードを行うと判定した際に、前記第１吐出ヘッド及び前記複数の第３吐出ヘッドのうち前記搬送方向に関して前記第２吐出ヘッドに近いものほど、前記吐出フラッシングの回数が多くなるように、前記第１吐出ヘッド及び前記複数の第３吐出ヘッドを制御することを特徴とする請求項１〜８のいずれか１項に記載の液体吐出装置。
【手続補正２】
【補正対象書類名】明細書
【補正対象項目名】０００６
【補正方法】変更
【補正の内容】
【０００６】
本発明の液体吐出装置は、記録媒体を搬送方向に搬送する搬送機構と、記録媒体に黒色のインクを吐出するための第１吐出口が形成された第１吐出面を有する第１吐出ヘッドと、前記搬送方向に関して前記第１吐出ヘッドよりも上流に配置され、インクに作用してインク中の成分を凝集又は析出させる液体を吐出するための第２吐出口が形成された第２吐出面を有する第２吐出ヘッドと、前記搬送方向に関して前記第２吐出ヘッドよりも下流に配置され、記録媒体に黒色以外の互いに異なるカラー色のインクを吐出するための第３吐出口が形成された第３吐出面をそれぞれ有し、前記搬送方向に関して前記第１吐出ヘッドよりも上流に配置された少なくとも１つの特定第３吐出ヘッドを含む複数の第３吐出ヘッドと、前記特定第３吐出ヘッドから記録媒体にインクを吐出する印字位置と、前記特定第３吐出ヘッドと前記搬送機構との離隔距離が前記印字位置における離隔距離よりも大きい退避位置との間において前記特定第３吐出ヘッドを移動させる移動機構と、記録媒体に記録されるべき画像にかかる画像データを各前記第１〜第３吐出ヘッドからのインク及び液体の吐出データとして記憶する画像データ記憶手段と、前記第１〜第３吐出ヘッド、及び、前記移動機構を制御する制御手段とを備えている。そして、前記制御手段は、記録媒体に前記第１吐出ヘッド及び前記複数の第３吐出ヘッドからのインク及び前記第２吐出ヘッドからの液体が吐出されて画像ドットが形成されるように、前記画像データ記憶手段に記憶された前記吐出データに基づいて、各前記第１〜第３吐出ヘッドを制御する吐出ヘッド制御手段と、前記移動機構を制御する移動制御手段と、前記第１吐出ヘッド及び前記複数の第３吐出ヘッドから記録媒体にインクを吐出するカラー印字を行うカラー印字モード、及び、前記第１吐出ヘッドだけからインクを吐出するモノクロ印字を行うモノクロ印字モードのいずれを行うかを判定する印字モード判定手段と、前記第２吐出ヘッドから記録媒体に液体を吐出して前処理を行う前処理モード、及び、前記第２吐出ヘッドから記録媒体に液体を吐出せず前処理を行わない非前処理モードのいずれを行うかを判定する前処理モード判定手段とを含んでおり、前記吐出ヘッド制御手段は、前記印字モード判定手段が前記カラー印字モードを行うと判定したときに記録媒体にインクを吐出するように前記第１吐出ヘッド及び前記複数の第３吐出ヘッドを制御し、前記印字モード判定手段が前記モノクロ印字モードを行うと判定したときに記録媒体にインクを吐出するように前記第１吐出ヘッドを制御し、且つ、前記前処理モード判定手段が前記前処理モードを行うと判定したときに記録媒体に液体を吐出するように前記第２吐出ヘッドを制御し、前記前処理モード判定手段が前記非前処理モードを行うと判定したときに記録媒体に液体が吐出されないように前記第２吐出ヘッドを制御し、前記移動制御手段は、前記前処理モード判定手段が前記前処理モードを行うと判定し、前記印字モード判定手段が前記モノクロ印字モードを行うと判定した際に、前記特定第３吐出ヘッドを前記印字位置から前記退避位置に移動させるように前記移動機構を制御し、前記前処理モード判定手段が前記前処理モードを行わないと判定し、前記印字モード判定手段が前記モノクロ印字モードを行うと判定した際に、前記特定第３吐出ヘッドを前記印字位置から前記退避位置に移動させないように前記移動機構を制御する。
【手続補正３】
【補正対象書類名】明細書
【補正対象項目名】０００７
【補正方法】変更
【補正の内容】
【０００７】
これによると、第２吐出ヘッドと第１吐出ヘッドとの間には、少なくとも１つの特定第３吐出ヘッドが配置されており、搬送方向に沿って第２吐出ヘッドから第１吐出ヘッドまでの距離が比較的離れる。このため、第１吐出口近傍に第２吐出ヘッドから吐出された液体のミストが付着しにくくなる。したがって、黒色のインクを吐出する第１吐出ヘッドからのインク吐出不良が発生しにくくなるとともに、装置の大型化を防ぐことができる。また、特定第３吐出ヘッドは、前処理モードを行い且つモノクロ印字の際に、印字位置から退避位置に移動されるので、第３吐出口近傍に第２吐出ヘッドから吐出された液体のミストも付着しにくくなる。このため、特定第３吐出ヘッドからのインク吐出不良が発生しにくくなる。
【手続補正４】
【補正対象書類名】明細書
【補正対象項目名】００１０
【補正方法】変更
【補正の内容】
【００１０】
また、本発明において、前記特定第３吐出ヘッドの前記第３吐出面を覆う少なくとも１つのキャップを有するキャップ機構をさらに備えている。そして、前記移動制御手段は、前記前処理モードを行い且つ前記モノクロ印字を行う際に、前記特定第３吐出ヘッドを前記印字位置から前記退避位置に移動させた後、前記特定第３吐出ヘッドの前記第３吐出面を前記キャップで覆うように、前記移動機構及び前記キャップ機構を制御することが好ましい。これにより、特定第３吐出ヘッドの第３吐出口近傍に第２吐出ヘッドから吐出された液体のミストがより一層付着しにくくなる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１８
【補正方法】変更
【補正の内容】
【００１８】
本発明の液体吐出装置によると、第２吐出ヘッドと第１吐出ヘッドとの間には、少なくとも１つの特定第３吐出ヘッドが配置されており、搬送方向に沿って第２吐出ヘッドから第１吐出ヘッドまでの距離が比較的離れる。このため、第１吐出口近傍に第２吐出ヘッドから吐出された液体のミストが付着しにくくなる。したがって、黒色のインクを吐出する第１吐出ヘッドからのインク吐出不良が発生しにくくなるとともに、装置の大型化を防ぐことができる。また、特定第３吐出ヘッドは、前処理モードを行い且つモノクロ印字の際に、印字位置から退避位置に移動されるので、第３吐出口近傍に第２吐出ヘッドから吐出された液体のミストも付着しにくくなる。このため、特定第３吐出ヘッドからのインク吐出不良が発生しにくくなる。